(57)【要約】【課題】窒素富化空気の利用の高効率化を図る火災防止システムを提供すること。【解決手段】外部との通気を遮断し内部に窒素富化空気を蓄える密閉空間１０を備えた火災防止システム１において、密閉空間１０には、密閉空間１０内に蓄えられた窒素富化空気及び外気を混合させる混合器２１と、密閉空間１０及び混合器２１を接続する再循環配管２５と、混合器２１によって混合された窒素富化空気を圧縮する空気圧縮機２２と、空気圧縮機２２から送られた空気に含まれる有害物を除去するフィルタ２３と、フィルタ２３を通過した空気から酸素富化空気を分別する気体分離膜２４とを備え、密閉空間１０から排出された窒素富化空気を循環させて再び密閉空間１０に導入させる窒素富化装置２０が接続されていることを特徴とする。【選択図】    図１
2004350758.tif 000002
【特許請求の範囲】
【請求項１】
外部との通気を遮断し内部に窒素富化空気を蓄える密閉空間を備えた火災防止システムにおいて、
前記密閉空間には、前記密閉空間内に蓄えられた窒素富化空気及び外気を混合させる混合器と、前記密閉空間及び前記混合器を接続する再循環配管と、前記混合器によって混合された窒素富化空気を圧縮する空気圧縮機と、前記空気圧縮機から送られた空気に含まれる有害物を除去するフィルタと、前記フィルタを通過した空気から酸素富化空気を分別する気体分離膜とを備え、前記密閉空間から排出された窒素富化空気を循環させて再び前記密閉空間に導入させる窒素富化装置が接続されていることを特徴とする火災防止システム。
【請求項２】
請求項１記載の火災防止システムにおいて、
前記窒素富化装置は、窒素富化空気を前記密閉空間内に噴射するノズルをバルブを介して接続し窒素富化空気を貯蔵する貯蔵タンクと、前記気体分離膜から前記密閉空間に送られる窒素富化空気の一部あるいは全部を前記貯蔵タンクに送られるように切替える切替え弁とを備えていることを特徴とする火災防止システム。
【請求項３】
請求項２記載の火災防止システムにおいて、
前記密閉空間内に設けられた酸素濃度センサによって検出された前記密閉空間内の酸素濃度に基づいて前記空気圧縮機及び前記切替え弁を制御する制御部が設けられていることを特徴とする火災防止システム。
【請求項４】
請求項３記載の火災防止システムにおいて、
前記制御部は、前記密閉空間が有人の空間である場合、前記密閉空間内の酸素濃度が１８％以上となるように前記空気圧縮機及び前記切替え弁を制御することを特徴とする火災防止システム。
【発明の詳細な説明】
【０００１】
【発明の属する技術分野】
この発明は、密閉空間内における火災の発生を予防し、かつ火災が発生した場合に迅速に消火する火災防止システムに関する。
【０００２】
【従来の技術】
従来の火災防止システムにおいて、密閉空間内で火災が発生した際の消火方法として、主に水系、例えば散水スプリンクラーによる消火方法と、ガス系、すなわち消火ガスの放出による消火方法とがある。消火ガスの放出による消火方法には、例えば、化学的消火作用を持つ消化剤の放出による化学消火方法、化学的消火作用を持たない不活性ガスの放出による希釈消火方法等を用いた火災防止システムがある。
ここで、密閉空間とは、特に、情報通信機器、貴重な製品、文化財等、付加価値の高い物品がその内部に設置、保管され、空間的に外部から閉鎖されている空間であって、その密閉空間内で火災が発生した場合、密閉空間内の酸素濃度を少なくすることで迅速に消火して、密閉空間内に設置、保管された物品が火災により受ける損失を最小限に抑制する空間である。
【０００３】
従来の火災防止システムにおいて、密閉空間内における火災を予防する方法としては、例えば、密閉空間に設置した窒素富化装置を用いて窒素富化空気を注入して、密閉空間内における酸素濃度を、人間にとって衛生上に支障がなく、かつ物が燃えにくくなる濃度にまで低下させかつその濃度を保持させて、火災が発生する可能性を減少させる方法を用いた火災防止システムがある（特許文献１参照）。
【０００４】
【特許文献１】
特開平９−２７６４２８号公報（第３−４頁、第２図）
【０００５】
【発明が解決しようとする課題】
上記従来の火災防止システムにおいては、密閉空間内の酸素濃度を所定の濃度に低下させかつその濃度を保持させる際、窒素富化空気が窒素富化装置から密閉空間内に窒素富化空気を大量に導入し、その際、そのまま密閉空間内の設定濃度に達成されていない窒素富化空気を大気中に排出していたため、窒素富化空気が効率よく利用されずに無駄に消費されているという問題があった。
【０００６】
この発明は、このような事情を考慮してなされたもので、窒素富化空気の利用の高効率化を図る火災防止システムを提供することを目的とする。
【０００７】
【課題を解決するための手段】
この発明は、上記課題を解決するため、以下の手段を採用する。
請求項１に係る発明は、外部との通気を遮断し内部に窒素富化空気を蓄える密閉空間を備えた火災防止システムにおいて、前記密閉空間には、前記密閉空間内に蓄えられた窒素富化空気及び外気を混合させる混合器と、前記密閉空間及び前記混合器を接続する再循環配管と、前記混合器によって混合された窒素富化空気を圧縮する空気圧縮機と、前記空気圧縮機から送られた空気に含まれる有害物を除去するフィルタと、前記フィルタを通過した空気から酸素富化空気を分別する気体分離膜とを備え、前記密閉空間から排出された窒素富化空気を循環させて再び前記密閉空間に導入させる窒素富化装置が接続されていることを特徴とする。
【０００８】
この発明によれば、密閉空間には、密閉空間内に蓄えられた窒素富化空気及び外気を混合させる混合器と、密閉空間及び混合器を接続する再循環配管と、混合器によって混合された窒素富化空気を圧縮する空気圧縮機と、空気圧縮機から送られた空気に含まれる有害物を除去するフィルタと、フィルタを通過した空気から酸素富化空気を分別する気体分離膜とを備え、密閉空間から排出された窒素富化空気を循環させて再び密閉空間に導入させる窒素富化装置が接続されていることにより、密閉空間から排出される窒素富化空気を大気中に放出せずに再利用して密閉空間に導入させるため、外部から新たに窒素を導入させることなく、窒素富化空気によって速くかつ少ない電力消費で密閉空間内の窒素の濃度を高くして、密閉空間内の酸素濃度を低下させることとなる。
【０００９】
請求項２に係る発明は、請求項１記載の火災防止システムにおいて、前記窒素富化装置は、窒素富化空気を前記密閉空間内に噴射するノズルをバルブを介して接続し窒素富化空気を貯蔵する貯蔵タンクと、前記気体分離膜から前記密閉空間に送られる窒素富化空気の一部あるいは全部を前記貯蔵タンクに送られるように切替える切替え弁とを備えていることを特徴とする。
【００１０】
この発明によれば、窒素富化装置が、窒素富化空気を密閉空間内に噴射するノズルをバルブを介して接続し窒素富化空気を貯蔵する貯蔵タンクと、気体分離膜から密閉空間に送られる窒素富化空気の一部あるいは全部を貯蔵タンクに送られるように切替える切替え弁とを備えていることにより、密閉空間内で設定された酸素濃度が得られた場合、窒素富化空気を密閉空間に送る必要がなくなるため、切替え弁を切替えてその窒素富化空気の窒素濃度を１００％近くまで上げて貯蔵タンクに送り、その貯蔵タンク内に窒素富化空気を貯蔵することとなる。また、貯蔵タンクに貯蔵された窒素富化空気は、密閉空間内で火災が発生した場合、ノズルから密閉空間内への噴射によって消火するために利用される。
【００１１】
請求項３に係る発明は、請求項２記載の火災防止システムにおいて、前記密閉空間内に設けられた酸素濃度センサによって検出された前記密閉空間内の酸素濃度に基づいて前記空気圧縮機及び前記切替え弁を制御する制御部が設けられていることを特徴とする。
【００１２】
この発明によれば、密閉空間内に設けられた酸素濃度センサによって検出された密閉空間内の酸素濃度に基づいて空気圧縮機及び切替え弁を制御する制御部が設けられていることにより、密閉空間内に十分な酸素濃度が得られた場合、窒素富化空気が密閉空間に送られることを停止させ、窒素富化空気が密閉空間ではなく貯蔵タンクに送られるように切替え弁を制御することとなり、また、その貯蔵タンクに窒素富化空気が十分に貯蔵されると、空気圧縮機を停止させるように制御することとなる。
【００１３】
請求項４に係る発明は、請求項３記載の火災防止システムにおいて、前記制御部は、前記密閉空間が有人の空間である場合、前記酸素濃度が１８％以上となるように前記空気圧縮機及び前記切替え弁を制御することを特徴とする。
【００１４】
この発明によれば、制御部は、密閉空間が有人の空間である場合、酸素濃度が１８％以上となるように空気圧縮機及び切替え弁を制御することにより、密閉空間は、人間の生命に影響を及ぼさないが、その内部に設けられた物品あるいは設備等が燃焼しにくい酸素濃度とすることとなる。また、密閉空間内で火災が発生して密閉空間の内部に設けられた物品あるいは設備等が燃焼しても、ノズルから少量の窒素富化空気を噴射させて密閉空間内の酸素濃度を下げることで容易にその物品あるいは設備等が迅速に消火されることとなる。
【００１５】
【発明の実施の形態】
以下、この発明の実施の形態について、図面を参照して説明する。
図１は、この発明における実施の形態を示す図であって、この発明を適用した火災防止システムを示す図である。
図１において符号１は、この発明を適用した火災防止システムである。
火災防止システム１は、密閉空間１０と、窒素富化装置２０と、制御部３０とを備えている。
【００１６】
密閉空間１０は、建築物本体１１と、避圧口１２と、酸素濃度センサ１３と、空気循環装置１４と、火災報知器１５とを備えている。
建築物本体１１は、外部との通気を遮断して矩形に形成され、その内部に窒素富化空気を蓄えている。
避圧口１２は、建築物本体１１の壁部にその壁部を貫通して設けられ、建築物本体１１に窒素富化空気を導入させたことによって建築物本体１１内で上昇した空気圧を低下させるために建築物本体１１の外部へ窒素富化空気を排出させるようになっている。
【００１７】
酸素濃度センサ１３は、建築物本体１１内に設けられ、建築物本体１１内の酸素濃度を検知するようになっている。
空気循環装置１４は、建築物本体１１内に設けられ、建築物本体１１内に蓄えられた窒素富化空気を循環させるようになっている。
火災報知器１５は、建築物本体１１内に設けられ、建築物本体１１内で火災が発生した場合、その建築物本体１１内において発生した煙を検知するようになっている。
【００１８】
窒素富化装置２０は、混合器２１と、空気圧縮機２２と、フィルタ２３と、気体分離膜２４と、再循環配管２５と、切替え弁２６と、電磁バルブ（バルブ）２７と、ノズル２８と、貯蔵タンク２９とを備えている。この窒素富化装置２０は、閉サイクルを形成して、密閉空間１０内に蓄えられた窒素富化空気から酸素富化空気を除去して窒素を富化させて、再び密閉空間１０内に窒素富化空気を導入させるようになっている。
【００１９】
混合器２１は、建築物本体１１に接続された再循環配管２５に接続され、密閉空間１０内から再循環配管２５を通じて送られる窒素富化空気を、外部から取り入れた空気と混合して空気圧縮機２２に送り出すようになっている。
空気圧縮機２２は、混合器２１に隣接して設けられ、混合器２１から窒素富化空気が送られるように混合器２１に接続されている。この空気圧縮機２２は、密閉空間１０から再循環配管２５を通じて送られた窒素富化空気を再び密閉空間１０内に送り出すようになっている。
【００２０】
フィルタ２３は、空気圧縮機２２に隣接して設けられ、空気圧縮機２２から窒素富化空気が送られるように空気圧縮機２２に接続されている。このフィルタ２３は、空気圧縮機２２から気体分離膜２４に送り出される窒素富化空気に含まれるゴミ等の有害物を除去するようになっている。
気体分離膜２４は、  フィルタ２３に隣接して設けられ、フィルタ２３から窒素富化空気が送り出されるようにフィルタ２３に接続されている。この気体分離膜２４は、フィルタ２３によって有害物が除去された窒素富化空気から一部の酸素を分離して、窒素の濃度を上昇させるようになっている。
【００２１】
再循環配管２５は、その一端が建築物本体１１に接続され、その他端が混合器２１に接続されて、その内部に密閉空間１０から送り出された窒素富化空気が通過するようになっている。
切替え弁２６は、建築物本体１１と気体分離膜２４との間に設けられ、気体分離膜２４、建築物本体１１および貯蔵タンク２９に接続されている。この切替え弁２６は、気体分離膜２４から送られた窒素富化空気を建築物本体１１あるいは貯蔵タンク２９のいずれかに接続を切替えて送り出すようになっている。
【００２２】
貯蔵タンク２９は、密閉空間１０の外部に設けられ、切替え弁２６に接続されている。この貯蔵タンク２９には、電磁バルブ２７を介してノズル２８が取り付けられている。このノズル２８は、貯蔵タンク２９に蓄えられた窒素富化空気を建築物本体１１内で噴射可能となるように建築物本体１１内に設けられている。
【００２３】
制御部３０は、密閉空間１０の外部に設けられ、密閉空間１０に備えられた酸素濃度センサ１３及び火災報知器１５を制御可能に接続されており、また、窒素富化装置２０に備えられた空気圧縮機２２、切替え弁２６及び電磁バルブ２７を制御可能に接続されている。
【００２４】
次に、上記の構成からなる火災防止システムの機能および作用について説明する。
この火災予防システム１を用いて密閉空間１０内の酸素濃度を一定に保つ場合、酸素濃度センサ１３で密閉空間１０内の酸素濃度を検知しながら、必要に応じて窒素富化装置２０を作動させて窒素富化空気を密閉空間１０内に導入する。
【００２５】
すなわち、予め密閉空間１０内において保持すべき所定の酸素保持濃度を設定した後、制御部３０から指示を出して密閉空間１０に設けられた酸素濃度センサ１３を作動させ、酸素濃度センサ１３によって密閉空間１０内の酸素濃度を検出し、その酸素濃度センサ１３で得られた酸素濃度のデータを制御部３０に送り、そのデータと予め設定した密閉空間１０内の酸素保持濃度とを比較する。酸素濃度センサ１３によって検出された密閉空間１０内の酸素濃度が予め設定された酸素保持濃度より高いとき、制御部３０から指示を出して窒素富化装置２０に備えられた空気圧縮機２２を作動させるとともに、切替え弁２６を作動させて窒素富化装置２０において循環される窒素富化空気を密閉空間１０内に導入するようにする。
【００２６】
窒素富化空気を密閉空間１０内に導入する際、空気圧縮機２２を作動して、密閉空間１０内から再循環配管２５を通って導入された窒素富化空気と大気中から導入された空気とを混合器２１によって混合させて空気圧縮機２２に導入する。
そして、空気が混合された窒素富化空気を空気圧縮機２２によって圧縮し、フィルタ２３、気体分離膜２４、切替え弁２６を通過して密閉空間１０内に導入する。このとき、窒素富化空気内に含まれるゴミ等の有害物をフィルタ２３によって窒素富化空気から除去し、酸素富化空気を気体分離膜２４によって排除し、切替え弁２６によって窒素富化空気を密閉空間１０内に導入する。
【００２７】
なお、窒素富化装置２０により供給される窒素富化空気の酸素濃度は、密閉空間１０に予め設定された所定の酸素保持濃度に等しく設定され、またその流量は、密閉空間１０内の換気状況あるいは密閉空間１０内の酸素濃度が所定の酸素保持濃度に到達するまでの所要時間等に応じて決定される。
また、気体分離膜２４によって窒素富化空気から排除された酸素富化空気は、空気で希釈した後、大気中に放出される。このとき、気体分離膜２４によって酸素富化空気が放出されることにより、再循環される窒素富化空気の流量が空気圧縮機に供給される流量より少なくなるため、大気中に放出された酸素富化空気に相当する流量の空気が混合器２１から補充される。
【００２８】
したがって、窒素富化空気を密閉空間１０内に導入する際、混合器２１によって混合されたときの窒素富化空気よりも窒素濃度が高くなった状態で密閉空間１０内に導入することとなる。
ここで、密閉空間１０内に導入された窒素富化空気によって密閉空間１０内の圧力が増大した場合、密閉空間１０内の圧力を減少させるために建築物本体１１に設けられた避圧口１２から窒素富化空気が排出される。
【００２９】
密閉空間１０内の空気循環装置１４を作動させて、上記のように窒素富化装置２０を用いて窒素富化空気を密閉空間１０内で循環させながら、酸素濃度センサ１３によって密閉空間１０内の酸素濃度を検出し、その検出した密閉空間１０内の酸素濃度が予め密閉空間１０内において保持すべき所定の酸素保持濃度に一致した場合、制御部３０から指示を出して切替え弁２６を切替え、密閉空間１０内から取り入れられ気体分離膜２６から送り出された窒素富化空気を貯蔵タンク２９に送り出して貯蔵タンク２９にその窒素富化空気を蓄える。
【００３０】
貯蔵タンク２９に蓄えられた窒素富化空気が所定の圧力まで到達すると、制御部３０から指示を出して空気圧縮機２２を停止させて、窒素富化装置２０内の窒素富化空気の循環を停止させる。ここで、貯蔵タンク２９に蓄えられた窒素富化空気が到達する所定の圧力は、空気圧縮機２２によって送られる空気圧より低く設定されている。
【００３１】
さらに酸素濃度センサ１３によって密閉空間１０内の酸素濃度を検出し、その検出した密閉空間１０内の酸素濃度が予め密閉空間１０内において保持すべき所定の酸素保持濃度よりも高くなった場合、例えば密閉空間１０内の酸素濃度が所定の酸素保持濃度より１％高くなった場合、制御部３０から指示を出して窒素富化装置２０を再び作動させ、上記と同様にして密閉空間１０内に窒素富化空気を導入して、その検出した密閉空間１０内の酸素濃度と予め密閉空間１０内において保持すべき所定の酸素保持濃度とを一致させる。
したがって、火災防止システム１は、上記のように窒素富化装置２０を繰り返し作動させることによって、所定の酸素保持濃度を維持することとなる。
【００３２】
また、密閉空間１０内において、密閉空間１０内に設けられた火災報知器１５によって密閉空間１０内で発熱あるいは出火を検知した場合、制御部３０から指示を出して、電磁バルブ２７を開放して貯蔵タンク２９に蓄えられた窒素濃度が１００％に近い窒素富化空気をノズルから噴射して、密閉空間１０内の酸素濃度を短時間で消火できる酸素濃度以下に下げて、発熱あるいは出火を鎮静化させる。
【００３３】
この場合、窒素富化装置２０が、窒素富化空気を密閉空間１０内に噴射するノズル２８を電磁バルブ２７を介して接続し窒素富化空気を貯蔵する貯蔵タンク２９と、気体分離膜２４から密閉空間１０に送られる窒素富化空気の一部あるいは全部を貯蔵タンク２９に送られるように切替える切替え弁２６とを備えていることにより、密閉空間１０内で十分な酸素濃度が得られた場合、窒素富化空気を密閉空間１０に送る必要がなくなるため、切替え弁２６を切替えてその窒素富化空気を貯蔵タンク２９に送り、その貯蔵タンク２９内に窒素富化空気を貯蔵することとなる。また、貯蔵タンク２９に貯蔵された窒素富化空気は、密閉空間１０内で火災が発生した場合、ノズル２８から密閉空間１０内への噴射によって消火するために利用される。
【００３４】
また、密閉空間１０内に設けられた酸素濃度センサ１３によって検出された密閉空間１０内の酸素濃度に基づいて空気圧縮機２２及び切替え弁２６を制御する制御部３０が設けられていることにより、密閉空間１０内に十分な酸素濃度が得られた場合、窒素富化空気が密閉空間１０に送られることを停止させ、窒素富化空気が密閉空間１０ではなく貯蔵タンク２９に送られるように切替え弁２６を制御することとなり、また、その貯蔵タンク２９に窒素富化空気が十分に貯蔵されると、空気圧縮機２２を停止させるように制御することとなる。
【００３５】
ここで、密閉空間１０が通常時において人間が立入る有人空間として設定される場合、予め密閉空間１０内において保持すべき所定の酸素保持濃度が１８％以上となるように設定される。この１８％という酸素保持濃度は、周知のように、労働安全衛生法において規定された有人空間内で最低限必要な酸素濃度である。
また、密閉空間１０が通常時において人間が立入ることがない無人空間として設定される場合、人間が密閉空間１０に立入らないため、予め密閉空間１０内において保持すべき所定の酸素保持濃度が１８％より低く設定される。例えば、酸素保持濃度を１７％以下に設定する。これによって、密閉空間１０内に存在する物品あるいは設備の燃焼が回避される。
【００３６】
密閉空間１０が有人空間として設定される場合、制御部３０が、酸素濃度が１８％以上となるように空気圧縮機２２及び切替え弁２６を制御することにより、密閉空間１０は、人間の生命に影響を及ぼさないが、その内部に設けられた物品あるいは設備等が燃焼しにくい酸素濃度となる。また、密閉空間１０内で火災が発生して密閉空間１０の内部に設けられた物品あるいは設備等が燃焼しても、ノズル２８から少量の窒素富化空気を噴射させて密閉空間１０内の酸素濃度を下げることで容易にその物品あるいは設備等が迅速に消火されることとなる。このとき、密閉空間１０内の気体は、ノズル２８から窒素富化空気を噴射させたことで少量の気体が短時間で密閉空間１０内から押し出され、その気体の大半が避圧口２から密閉空間１０の外部に排出されるため、再循環配管２５に入って再循環されることがない。
【００３７】
また、密閉空間１０が無人空間として設定される場合、密閉空間１０内の酸素濃度が低いことで密閉空間１０内の物品あるいは設備等が燃焼することがなくなるため、密閉空間１０内の火災が完全に防止されることとなる。また、密閉空間１０内で万一火災が発生して密閉空間１０の内部に設けられた物品あるいは設備等が燃焼しても、ノズル２８から少量の窒素富化空気を噴射させて密閉空間１０内の酸素濃度を下げることで容易にその物品あるいは設備等が迅速に消火されることとなる。
【００３８】
上記の構成によれば、密閉空間１０から排出される窒素富化空気を大気中に放出せずに再利用して密閉空間１０に導入させるため、外部から新たに窒素を導入させることなく、窒素富化空気によって速くかつ少ない電力消費で密閉空間１０内の窒素の濃度を高くして、密閉空間１０内の酸素濃度を低下させることとなるので、窒素富化空気の利用の高効率化を図ることができる。
【００３９】
また、密閉空間１０内で十分な酸素濃度が得られた場合、窒素富化空気を密閉空間１０に送る必要がなくなるため、切替え弁２６を切替えてその窒素富化空気を貯蔵タンク２９に送り、その貯蔵タンク２９内に窒素富化空気を貯蔵することとなり、また、貯蔵タンク２９に貯蔵された窒素富化空気は、密閉空間１０内で火災が発生した場合、ノズル２８から密閉空間１０内への噴射によって消火するために利用されるので、窒素富化空気の利用の高効率化を図ることができる。
【００４０】
また、密閉空間１０内に十分な酸素濃度が得られた場合、窒素富化空気が密閉空間１０に送られることを停止させ、窒素富化空気が密閉空間１０ではなく貯蔵タンク２９に送られるように切替え弁を制御することとなり、また、その貯蔵タンク２９に窒素富化空気が十分に貯蔵されると、空気圧縮機２２を停止させるように制御することとなるので、窒素富化空気の利用の高効率化を図ることができる。
【００４１】
また、密閉空間１０が有人空間の場合には、密閉空間１０内の酸素濃度を１８％以上に設定することにより、人間の生命に影響を及ぼさないが、その内部に設けられた物品あるいは設備等が燃焼しにくい酸素濃度とすることとなり、また、密閉空間１０内で火災が発生して密閉空間１０の内部に設けられた物品あるいは設備等が燃焼しても、ノズル２８から少量の窒素富化空気を噴射させて密閉空間１０内の酸素濃度を下げることで容易にその物品あるいは設備等が迅速に消火されることとなるので、窒素富化空気の利用の高効率化を図ることができる。
【００４２】
また、密閉空間１０が無人空間の場合には、密閉空間１０内の酸素濃度を１７％以下に設定することにより、その内部に設けられた物品あるいは設備等が燃焼しない酸素濃度とすることとなるので、密閉空間１０内の火災発生を防止することができる。また、密閉空間１０内で万一火災が発生して密閉空間１０の内部に設けられた物品あるいは設備等が燃焼しても、ノズル２８から少量の窒素富化空気を噴射させて密閉空間１０内の酸素濃度を下げることで容易にその物品あるいは設備等が迅速に消火されることとなるので、窒素富化空気の利用の高効率化を図ることができる。
【００４３】
【発明の効果】
以上説明したこの発明の火災防止システムにおいては、以下の効果を奏する。
請求項１に係る発明によれば、密閉空間から排出される窒素富化空気を大気中に放出せずに再利用して密閉空間に導入させるため、外部から新たに窒素を少量に導入させるだけで、窒素富化空気によって速くかつ少ない電力消費で密閉空間内の窒素の濃度を高くして、密閉空間内の酸素濃度を低下させることとなるので、窒素富化空気の利用の高効率化を図ることができる。
【００４４】
請求項２に係る発明によれば、密閉空間内で十分な酸素濃度が得られた場合、窒素富化空気を密閉空間に送る必要がなくなるため、切替え弁を切替えてその窒素富化空気を貯蔵タンクに送り、その貯蔵タンク内に窒素富化空気を貯蔵することとなり、また、貯蔵タンクに貯蔵された窒素富化空気は、密閉空間内で火災が発生した場合、ノズルから密閉空間内への噴射によって消火するために利用されるので、窒素富化空気の利用の高効率化を図ることができる。
【００４５】
請求項３に係る発明によれば、密閉空間内に十分な酸素濃度が得られた場合、窒素富化空気が密閉空間に送られることを停止させ、窒素富化空気が密閉空間ではなく貯蔵タンクに送られるように切替え弁を制御することとなり、また、その貯蔵タンクに窒素富化空気が十分に貯蔵されると、空気圧縮機を停止させるように制御することとなるので、窒素富化空気の利用の高効率化を図ることができる。
【００４６】
請求項４に係る発明によれば、密閉空間は、人間の生命に影響を及ぼさないが、その内部に設けられた物品あるいは設備等が燃焼しにくい酸素濃度とすることとなり、また、密閉空間内で火災が発生して密閉空間の内部に設けられた物品あるいは設備等が燃焼しても、ノズルから少量の窒素富化空気を噴射させて密閉空間内の酸素濃度を下げることで容易にその物品あるいは設備等が迅速に消火されることとなるので、窒素富化空気の利用の高効率化を図ることができる。
【図面の簡単な説明】
【図１】この発明における実施の形態に係る火災防止システムを示す概念図である。
【符号の説明】
１  火災防止システム
１０  密閉空間
１１  建築物本体
１２  避圧口
１３  酸素濃度センサ
１４  空気循環装置
１５  火災報知器
２０  窒素富化装置
２１  混合器
２２  空気圧縮機
２３  フィルタ
２４  気体分離膜
２５  再循環配管
２６  切替え弁
２７  バルブ
２８  ノズル
２９  貯蔵タンク
３０  制御部
【図１】
2004350758.tif 000003